(57)【要約】【課題】種籾の一連の温湯消毒処理が簡単な作業で実現できる小型で大容量の種籾温湯消毒冷却装置を提供すること。【解決手段】所定長の温湯タンクと、冷却タンクとを並べて配置した種籾温湯消毒冷却装置であって、温湯タンク内には温湯タンク内搬送コンベアを備え、冷却タンク内には冷却タンク内搬送コンベアを備え、さらに温湯タンク内には温湯タンク内搬送コンベアの後段に、種籾収納袋受け渡しコンベアを備え、種籾収納袋受け渡しコンベアの搬送速度を温湯タンク内搬送コンベアの搬送速度よりも速くしたことを特徴とする。【選択図】図１
2010166898.tif 000002
【特許請求の範囲】
【請求項１】
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
さらに前記温湯タンク内には前記温湯タンク内搬送コンベアの後段に、種籾収納袋受け渡しコンベアを備え、
該種籾収納袋受け渡しコンベアの搬送速度を前記温湯タンク内搬送コンベアの搬送速度よりも速くしたことを特徴とする種籾温湯消毒冷却装置。
【請求項２】
所定長の温湯タンクと、該温湯タンクよりも短い長さの冷却タンクとを並べて配置した種籾温湯消毒冷却装置であって、
前記温湯タンク及び冷却タンクの夫々は、温湯中或いは冷水中を走行する搬送コンベアを備え、
前記温湯タンク内を走行する温湯タンク内搬送コンベアは、該温湯タンクの始端部においてタンク外に露出した種籾収納袋装填領域を備えており、
前記冷却タンク内を走行する冷却タンク内搬送コンベアは、該冷却タンクの終端部においてタンク外に露出した種籾収納袋排出領域を備えており、
さらに、前記温湯タンク内には、種籾収納袋を前記温湯タンク内搬送コンベアから受け取り前記冷却タンク内搬送コンベアへ受け渡すための、種籾収納袋受け渡しコンベアを前記温湯タンク内搬送コンベアの後段側に備え、
前記種籾収納袋受け渡しコンベアは、該温湯タンクの終端部においてタンク外に露出した種籾収納袋受け渡し領域を備え、該種籾収納袋受け渡しコンベアの走行速度は、前記温湯タンク内搬送コンベアの走行速度に比して大きく構成したことを特徴とする種籾温湯消毒冷却装置。
【請求項３】
前記温湯タンク内搬送コンベアの終端側は、前記種籾収納袋受け渡しコンベアに種籾収納袋を受け渡すために温湯内で傾斜した上り坂領域を形成したことを特徴とする請求１項又は請求項２記載の種籾温湯消毒冷却装置。
【請求項４】
前記温湯タンク内を走行する温湯タンク内搬送コンベアは、当該温湯タンク内搬送コンベアの走行速度をＶｗ（ｍｍ／ｍｉｎ）とし、種籾収納袋の温湯内搬送時間を１０分とすると、タンク外に露出した前記種籾収納袋装填領域に続く温湯消毒領域の所定距離Ｌｗは、下記式によって算出される長さと実質的に等しくされることを特徴とする請求項１又は請求項２記載の種籾温湯消毒冷却装置。
Ｌｗ（ｍｍ）＝Ｖｗ（ｍｍ／ｍｉｎ）×１０
【請求項５】
前記温湯タンク内を走行する温湯タンク内搬送コンベアは、当該温湯タンク内搬送コンベアの搬送面に所定高さの板状体を複数枚備えることにより、当該温湯タンク内搬送コンベアの搬送面に所定幅の搬送区画を複数個形成し、当該搬送区画としての種籾収納袋の温湯内搬送時間を得るように構成したことを特徴とする請求項４記載の種籾温湯消毒冷却装置。
【請求項６】
前記冷却タンク内を走行する冷却タンク内搬送コンベアは、当該冷却タンク内搬送コンベアの走行速度をＶｃ（ｍｍ／ｍｉｎ）とし、種籾収納袋の冷水内搬送時間を５分とすると、タンク外に露出した前記種籾収納袋排出領域の前に冷却領域の所定距離Ｌｃは、下記式によって算出される長さと実質的に等しくされることを特徴とする請求項１又は請求項２記載の種籾温湯消毒冷却装置。
Ｌｃ（ｍｍ）＝Ｖｃ（ｍｍ／ｍｉｎ）×５
【請求項７】
前記冷却タンク内を走行する冷却タンク内搬送コンベアは、当該冷却タンク内搬送コンベアの搬送面に所定高さの板状体を複数枚備えることにより、当該冷却タンク内搬送コンベアの搬送面に所定幅の搬送区画を複数個形成し、当該搬送区画としての種籾収納袋の冷水内搬送時間を得るように構成したことを特徴とする請求項６記載の種籾温湯消毒冷却装置。
【請求項８】
前記温湯タンク内搬送コンベアの後段に備えた前記種籾収納袋受け渡しコンベアは、その搬送面に所定高さの板状体を複数枚備えることにより、当該種籾収納袋受け渡しコンベアの搬送面に所定幅の搬送区画を複数個形成したことを特徴とする請求項５又は請求項７記載の種籾温湯消毒冷却装置。
【請求項９】
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
該温湯タンク内搬送コンベアに種籾収納袋を投入するために、該温湯タンクの外側に種籾収納袋投入コンベアを備え、
さらに前記温湯タンク内には前記温湯タンク内搬送コンベアの後段に、種籾収納袋受け渡しコンベアを備え、
該種籾収納袋受け渡しコンベアの搬送速度を前記温湯タンク内搬送コンベアの搬送速度よりも速くしたことを特徴とする種籾温湯消毒冷却装置。
【請求項１０】
前記温湯タンク内に備えた温湯タンク内搬送コンベアの搬送速度と、該温湯タンク外に備えた前記種籾収納袋投入コンベアの搬送速度とを、同期手段を設けることにより同期するように構成したことを特徴とする請求項９記載の種籾温湯消毒冷却装置。
【請求項１１】
前記温湯タンク外に備えた前記種籾収納袋投入コンベアは、比較的に低い位置に配置した種籾収納袋供給領域と、前記温湯タンクを乗り越えて該温湯タンク内の前記温湯タンク内搬送コンベアに種籾収納袋を投入するために、比較的高い位置に配置された種籾収納袋投入領域とを備えていることを特徴とする請求項９又は１０記載の種籾温湯消毒冷却装置。
【請求項１２】
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
該温湯タンク内搬送コンベアに種籾収納袋を投入するために、該温湯タンクの外側に種籾収納袋投入コンベアを備え、
前記温湯タンク内を走行する温湯タンク内搬送コンベアは、該温湯タンクの終端部においてタンク外に露出した種籾収納袋受け渡し領域を備え、且つ、前記冷却タンク内を走行する冷却タンク内搬送コンベアは、該冷却タンクの終端部においてタンク外に露出した種籾収納袋排出領域を備えたことを特徴とする種籾温湯消毒冷却装置。
【発明の詳細な説明】
【技術分野】
【０００１】
本発明は、種籾に付着した病原菌を、温水を浴びせて殺菌、滅菌または除菌（以下、「消毒」という）をする種籾の温湯消毒装置、及びそれを用いた温湯消毒方法に関する。本発明は、特に、ネットに入れた種籾を、所定時間だけ温水中を潜らせて消毒する種籾の消毒装置およびその方法に関し、特に、小形で大容量の連続式温湯消毒装置に関する。
【背景技術】
【０００２】
種子を所定温度の温水に所定時間浸すことにより、種子に付着している病原菌を殺菌する方法およびその装置は、特許文献１（特許第２８７６００１号公報）において既に知られている。特許文献１には、一度に大量の種子を短時間で効果的に消毒処理することのできる種子の消毒装置として、消毒槽内に温水を貯留し、この消毒漕内で種子保持容器を搬送するコンベヤを敷設し、消毒漕に、この消毒槽内に貯留された温水を汲み上げるとともに、この汲み上げた温水をコンベヤにより搬送される種子保持容器内に保持された種子に対して所定の水圧を以て散布する撹拌装置を設けたものが記載されている。
【０００３】
本出願人は、種籾に温水を浴びせて消毒する種籾消毒装置を早くから開発してきており、種籾を収納した容器を温水タンクに沈め、温水噴射部を種籾を収納した容器の下に位置させて温水を噴き上げ、温水噴射部に設定温度の加圧温水を設定時間供給するバッチ式の種籾消毒装置およびその方法は、既に、特許文献２乃至８として公開している。
【０００４】
また、本出願人は、温湯消毒浴槽と水冷浴槽を並べて配置し、種籾容器をコンベアによって連続的に移送しながら種籾を消毒する種籾消毒装置およびその方法についても、既に、特許文献９乃至１８として公開している。
【０００５】
この種の種籾消毒装置およびその方法については、特許文献１９乃至２４としても公開されている。この内の特許文献２４には、平面視で実質上十字状に区画された４つの作業部として、第１温浴槽と第２温浴槽と１つの冷浴槽と移し替え部とがその順に配置され、その上部には巡回クレーン手段が設けられ、種子を収容した籠状のコンテナが、着脱可能に吊支されており、各作業部に対してそれぞれのコンテナを一斉に昇降動させ、且つ上昇位置にて、駆動モータにより十字状の中心部の回りに一定方向に間欠的に巡回するようにしたものが開示されている。
【０００６】
また、これに関連して、種籾を収容した袋自体をハンガーに吊り下げて、並べて配置された温湯消毒浴槽及び水冷浴槽を潜らせる種籾消毒装置およびその方法が特許文献２５乃至３０として公開されている。
【０００７】
そして、消毒すべき種籾を袋に収納し、複数の収納袋をロープで吊り下げて一定時間加熱水中をコンベアにより移動させる搬送手段自体は、既に、特許文献３１においても知られている。
【先行技術文献】
【特許文献】
【０００８】
【特許文献１】特許第２８７６００１号公報
【特許文献２】特開２０００−３１６３２１号公報
【特許文献３】特開２０００−３４２０１８号公報
【特許文献４】特開２００２−３３０６０５号公報
【特許文献５】特開２００３−２３５３０８号公報
【特許文献６】特開２００３−２３５３０９号公報
【特許文献７】特開２００３−００９６１２号公報
【特許文献８】特開２００４−０００２６１号公報
【特許文献９】特開２００４−２９００１１号公報
【特許文献１０】特開２００４−００００９０号公報
【特許文献１１】特開２００６−２３０２７０号公報
【特許文献１２】特開２００６−２８０３８７号公報
【特許文献１３】特開２００６−３１４３３０号公報
【特許文献１４】特開２００６−０５０９８２号公報
【特許文献１５】特開２００６−０８１４２６号公報
【特許文献１６】特開２００７−０４９９２１号公報
【特許文献１７】特開２００６−３２０９２８号公報
【特許文献１８】特開２００６−３２０９２９号公報
【特許文献１９】特開２００５−３２８７２３号公報
【特許文献２０】特開２００５−０５２０２３号公報
【特許文献２１】特開２００６−１５８３０２号公報
【特許文献２２】特開２００６−３２０２６０号公報
【特許文献２３】特開２００６−０４２７４５号公報
【特許文献２４】特開２００７−１１６９８７号公報
【特許文献２５】特開２００６−３２０９２９号公報
【特許文献２６】特開２００７−１５１４０６号公報
【特許文献２７】特開２００８−０００１４９号公報
【特許文献２８】特開２００８−０００１５０号公報
【特許文献２９】特開２００８−０２２８６４号公報
【特許文献３０】特開２００８−０３５８７０号公報
【特許文献３１】実公平７−４２２４９号公報
【０００９】
さらに、農産物を温湯内を潜って搬送するコンベアによって連続的に洗浄しようとする技術自体は、下記製品として既に知られている。
【非特許文献】
【００１０】
【非特許文献１】ｈｔｔｐ：／／ｗｗｗ．ｓｈｏｗａ−ｊｅｔ．ｃｏ．ｊｐ／０１ｐｒｏｄｕｃｔ／０６ｖｓｋ＿ｖｐｋ．ｈｔｍｌ
【発明の概要】
【発明が解決しようとする課題】
【００１１】
以上のように、種籾等の農産物の温湯消毒装置或いは洗浄装置は既に広く知られた技術となっており、種々の観点から多くの改良が加えられてきている。そこで、本発明が解決しようとする課題は、第１には、種籾の一連の温湯消毒処理が簡単な作業で実現できる小型で大容量の種籾温湯消毒冷却装置を提供することである。
【００１２】
つまり、従来の種籾の温湯消毒処理装置及び温湯消毒方法では、種籾を収納した容器を、移送コンベアを用いて温湯タンクから冷却タンクに順次移送するものであっても、作業者は装置に張り付いた状態で作業から目を離さずにいる必要があった。また、種籾を収容した袋を走行コンベアに設けたハンガーに吊り下げて、並べて配置された温湯消毒浴槽及び水冷浴槽を潜らせる種籾消毒装置であっても、種籾を収容した袋をハンガーに吊り下げたり、ハンガーから外したりするためには、作業者が装置から長い時間離れることは難しいものであった。
【００１３】
また、装置に吊り下げるハンガーは隙間無く設けることはできず、装置の処理量を上げようとすれば装置を大型化して、温湯消毒浴槽及び水冷浴槽内をより高速で搬送する必要があった。
【００１４】
また、バケット式のコンベアを設けたものも見受けられているが、これもバケットを設けるための構造が複雑になり、さらにバケットを隙間無く設けることができないので、処理量を上げようとすると、装置の大型化やバケット自体の大型化に繋がってしまうものであった。
【００１５】
また、一般的な野菜洗浄装置をそのまま種籾の温湯消毒装置に使用して１０分間の温湯消毒を達成しようとすると、装置に対する種籾の搬入・搬出作業との関係で簡単には達成できないものであった。つまり、温湯消毒時間の１０分間を正確に維持しようすると、搬入・搬出にかかる時間を短くする必要がある。つまり搬入・搬出にロボット等の特別な手段を講じるか、コンベア自体の搬送スピードを上げて、搬入・搬出に必要な時間を短くするかの手段が考えられる。しかし、前者の手段では装置が複雑化し高価になるし、後者の手段では１０分間の温湯時間を得るための温湯タンクの長さが巨大なものとなってしまう。
【００１６】
本発明の種籾温湯消毒冷却装置においては、種籾の収容袋を温湯中を走行するコンベアに形成された搬送区画内に並べて収容する作業だけで、完全自動式で１０分間の温湯消毒と５分間の冷水冷却後に自動的にスノコ状の処理籾収納容器に収納されるために、作業者への作業負担も小さく、消毒処理が終了した種籾収容袋の後段処理（乾燥処理等）への移送も作業の合間を見てできるようにしたものである。このスノコ状の処理籾収納容器は複数準備しておくことも可能であり、より作業に余裕ができる。
【００１７】
さらに、本発明が解決しようとする課題は、種籾温湯消毒冷却処理の自動化を達成しながら、処理量のアップと装置の小型化を同時に達成することである。
【課題を解決するための手段】
【００１８】
種籾の温湯消毒装置としては、大規模農家や協同組合にとっては処理量のアップに加えて装置の小型化は必須の条件であるといっても良い。どのような装置も、一般的には、処理量をアップするには装置の大型化を余儀なくされるものであった。そこで、本発明は処理量のアップと装置の小型化を同時に達成することを最大の課題と捉えてその解決手段を見つけ出したものである。
【００１９】
本発明の種籾温湯消毒冷却装置は、
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
さらに前記温湯タンク内には前記温湯タンク内搬送コンベアの後段に、種籾収納袋受け渡しコンベアを備え、
該種籾収納袋受け渡しコンベアの搬送速度を前記温湯タンク内搬送コンベアの搬送速度よりも速くしたことを特徴とする。
【００２０】
さらに、本発明の種籾温湯消毒冷却装置は、
所定長の温湯タンクと、該温湯タンクよりも短い長さの冷却タンクとを並べて配置した種籾温湯消毒冷却装置であって、
前記温湯タンク及び冷却タンクの夫々は、温湯中或いは冷水中を走行する搬送コンベアを備え、
前記温湯タンク内を走行する温湯タンク内搬送コンベアは、該温湯タンクの始端部においてタンク外に露出した種籾収納袋装填領域を備えており、
前記冷却タンク内を走行する冷却タンク内搬送コンベアは、該冷却タンクの終端部においてタンク外に露出した種籾収納袋排出領域を備えており、
さらに、前記温湯タンク内には、種籾収納袋を前記温湯タンク内搬送コンベアから受け取り前記冷却タンク内搬送コンベアへ受け渡すための、種籾収納袋受け渡しコンベアを前記温湯タンク内搬送コンベアの後段側に備え、
前記種籾収納袋受け渡しコンベアは、該温湯タンクの終端部においてタンク外に露出した種籾収納袋受け渡し領域を備え、該種籾収納袋受け渡しコンベアの走行速度は、前記温湯タンク内搬送コンベアの走行速度に比して大きく構成したことを特徴とする。
【００２１】
さらに、本発明の種籾温湯消毒冷却装置において、
前記温湯タンク内搬送コンベアの終端側は、前記種籾収納袋受け渡しコンベアに種籾収納袋を受け渡すために温湯内で傾斜した上り坂領域を形成したことを特徴とする。
【００２２】
さらに、本発明の種籾温湯消毒冷却装置において、
前記温湯タンク内を走行する温湯タンク内搬送コンベアは、当該温湯タンク内搬送コンベアの走行速度をＶｗ（ｍｍ／ｍｉｎ）とし、種籾収納袋の温湯内搬送時間を１０分とすると、タンク外に露出した前記種籾収納袋装填領域に続く温湯消毒領域の所定距離Ｌｗは、下記式によって算出される長さと実質的に等しくされることを特徴とする。
Ｌｗ（ｍｍ）＝Ｖｗ（ｍｍ／ｍｉｎ）×１０
【００２３】
さらに、本発明の種籾温湯消毒冷却装置において、
前記温湯タンク内を走行する温湯タンク内搬送コンベアは、当該温湯タンク内搬送コンベアの搬送面に所定高さの板状体を複数枚備えることにより、当該温湯タンク内搬送コンベアの搬送面に所定幅の搬送区画を複数個形成し、当該搬送区画としての種籾収納袋の温湯内搬送時間を得るように構成したことを特徴とする。
【００２４】
さらに、本発明の種籾温湯消毒冷却装置において、
前記冷却タンク内を走行する冷却タンク内搬送コンベアは、当該冷却タンク内搬送コンベアの走行速度をＶｃ（ｍｍ／ｍｉｎ）とし、種籾収納袋の冷水内搬送時間を５分とすると、タンク外に露出した前記種籾収納袋排出領域の前に冷却領域の所定距離Ｌｃは、下記式によって算出される長さと実質的に等しくされることを特徴とする。
Ｌｃ（ｍｍ）＝Ｖｃ（ｍｍ／ｍｉｎ）×５
【００２５】
さらに、本発明の種籾温湯消毒冷却装置において、
前記冷却タンク内を走行する冷却タンク内搬送コンベアは、当該冷却タンク内搬送コンベアの搬送面に所定高さの板状体を複数枚備えることにより、当該冷却タンク内搬送コンベアの搬送面に所定幅の搬送区画を複数個形成し、当該搬送区画としての種籾収納袋の冷水内搬送時間を得るように構成したことを特徴とする。
【００２６】
さらに、本発明の種籾温湯消毒冷却装置において、
前記温湯タンク内搬送コンベアの後段に備えた前記種籾収納袋受け渡しコンベアは、その搬送面に所定高さの板状体を複数枚備えることにより、当該種籾収納袋受け渡しコンベアの搬送面に所定幅の搬送区画を複数個形成したことを特徴とする。
【００２７】
さらに、本発明の種籾温湯消毒冷却装置は、
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
該温湯タンク内搬送コンベアに種籾収納袋を投入するために、該温湯タンクの外側に種籾収納袋投入コンベアを備え、
さらに前記温湯タンク内には前記温湯タンク内搬送コンベアの後段に、種籾収納袋受け渡しコンベアを備え、
該種籾収納袋受け渡しコンベアの搬送速度を前記温湯タンク内搬送コンベアの搬送速度よりも速くしたことを特徴とする。
【００２８】
さらに、本発明の種籾温湯消毒冷却装置は、
前記温湯タンク内に備えた温湯タンク内搬送コンベアの搬送速度と、該温湯タンク外に備えた前記種籾収納袋投入コンベアの搬送速度とを、同期手段を設けることにより同期するように構成したことを特徴とする。
【００２９】
さらに、本発明の種籾温湯消毒冷却装置は、
前記温湯タンク外に備えた前記種籾収納袋投入コンベアは、比較的に低い位置に配置した種籾収納袋供給領域と、前記温湯タンクを乗り越えて該温湯タンク内の前記温湯タンク内搬送コンベアに種籾収納袋を投入するために、比較的高い位置に配置された種籾収納袋投入領域とを備えていることを特徴とする。
【００３０】
さらに、本発明の種籾温湯消毒冷却装置は、
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
該温湯タンク内搬送コンベアに種籾収納袋を投入するために、該温湯タンクの外側に種籾収納袋投入コンベアを備え、
前記温湯タンク内を走行する温湯タンク内搬送コンベアは、該温湯タンクの終端部においてタンク外に露出した種籾収納袋受け渡し領域を備え、且つ、前記冷却タンク内を走行する冷却タンク内搬送コンベアは、該冷却タンクの終端部においてタンク外に露出した種籾収納袋排出領域を備えたことを特徴とする。
【発明の効果】
【００３１】
本発明の種籾温湯消毒冷却装置は、以上の構成により、温湯タンクと冷却タンクを直線的に設け、搬送コンベアの走行面上に種籾収納袋の搬送区画を隙間なく隣接させて設けたことにより、ハンガー方式やバケット方式に比しても、小型で大容量の使い易い種籾温湯消毒冷却装置及び方法を提供できるものである。
【００３２】
本発明の種籾温湯消毒冷却装置は、温湯タンク及び冷却タンク内に配置された温湯タンク内搬送コンベア及び冷却タンク内搬送コンベア上に、種籾収納袋が隣接して投入できるので温湯タンク及び冷却タンクの移送方向の距離が最小にすることが可能であり、装置の小型化に加え処理量の増大化を達成できる。単に処理量の増大化を図るだけであったら横方向の寸法を大きくして、１列に並べる種籾収納袋の装填数を上げるか、搬送コンベアの搬送速度を上げて温湯内に浸される列数を増やすかすれば良い。
【００３３】
本発明の種籾温湯消毒冷却装置は、温湯タンクの始端部においてタンク外に露出した種籾収納袋装填領域の分割された区画に、所定数（実施例においては５ｋｇ×３袋）の種籾収納袋を装填するのみであり、極めて楽な作業により装填が可能なものであり、冷却タンクの終端部においてタンク外に露出した種籾収納袋排出領域においては種籾収納袋の装置外への排出は自動的に行うことができる。
【００３４】
さらに本発明の種籾温湯消毒冷却装置は、各搬送コンベアに設けた板状体が種籾収納袋の搬送方向に温湯或いは冷水を攪拌することになり、タンク中の温湯或いは冷水の温度の均一化に寄与することができる。
【図面の簡単な説明】
【００３５】
【図１】本発明の実施例の種籾温湯消毒冷却装置の斜視図
【図２】本発明の実施例の種籾温湯消毒冷却装置の側面図
【図３】本発明の実施例の種籾温湯消毒冷却装置の平面図
【図４】本発明の実施例の種籾温湯消毒冷却装置の部分詳細図
【図５】本発明の実施例の種籾温湯消毒冷却装置の部分詳細図
【図６】本発明の実施例の種籾温湯消毒冷却装置の作業実態図
【図７】本発明の別の実施例の種籾温湯消毒冷却装置の斜視図
【図８】本発明の更に別の実施例の種籾温湯消毒冷却装置の斜視図
【発明を実施するための形態】
【００３６】
本発明の種籾温湯消毒冷却装置１００の第１の実施例は、その装置全体の斜視図を図１に示すように、所定長の温湯タンク１０と、該温湯タンク１０よりも短い長さの冷却タンク３０とを直線状に並べて配置した種籾温湯消毒冷却装置である。各タンクの長さは、種籾の温湯消毒時間（約６０℃１０分間）と、冷水による冷却時間（約１３℃５分間）が達成できる距離により決定される。
【００３７】
本発明の種籾温湯消毒冷却装置１００での種籾の消毒は、ネット状の種籾収納袋に種籾を所定重量（５ｋｇ）収納して口を閉じた種籾収納袋１，１，１・・・を、温湯タンク１０及び冷却タンク３０内の温水及び冷水を所定時間潜らせて搬送することにより達成される。このために、温湯タンク１０及び冷却タンク３０の夫々は、温湯中或いは冷水中を走行する搬送コンベア１１，３１を夫々備えている。温湯タンク１０内に設けられたコンベアは温湯タンク内搬送コンベア１１であり、冷却タンク３０内に設けられたコンベアは冷却タンク内搬送コンベア３１である。
【００３８】
図２に示すように、温湯タンク１０内を走行する温湯タンク内搬送コンベア１１は、該温湯タンク１０の始端部（図１中右側端部）においてタンク１０外に露出した種籾収納袋装填領域（ａ）を備えており、続いて、下り坂領域（ｂ）、温湯潜り込み領域（ｃ）、温湯消毒領域（ｄ）、種籾収納袋受け渡し領域（ｅ）を備えている。
【００３９】
さらに、温湯タンク１０内には、種籾収納袋１，１，１・・・を温湯タンク内搬送コンベア１１から受け取り、後述する冷却タンク内搬送コンベア３１へ受け渡すための、種籾収納袋受け渡しコンベア１２を温湯タンク内搬送コンベア１１の後段側（図１中左側）に備えている。この種籾収納袋受け渡しコンベア１２は、温湯タンク内搬送コンベア１１の種籾収納袋受け渡し領域（ｅ）からの種籾収納袋１，１，１・・・を受け取る種籾収納袋受け取り領域（ｆ）に続いて上り坂領域（ｇ）を設けており、さらに、温湯タンク１０の終端部（図１中左側）においてタンク１０外に露出した種籾収納袋受け渡し領域（ｈ）を備えている。
【００４０】
次に、冷却タンク３０内を走行する冷却タンク内搬送コンベア３１は、種籾収納袋受け渡しコンベア１２の種籾収納袋受け渡し領域（ｈ）からの種籾収納袋１，１，１・・・を受け取り種籾を冷却する冷却領域（ｉ）に続いて上り坂領域（ｊ）を設けており、さらに、冷却タンク３０の終端部（図１中左側端部）においてタンク３０外に露出した種籾収納袋排出領域（ｋ）を備えている。冷却タンク内搬送コンベア３１の種籾収納袋排出領域（ｋ）の後段には、消毒冷却後の種籾収納袋１，１，１・・・を収納する収納容器５０を備えている。
【００４１】
温湯タンク１０内を走行する温湯タンク内搬送コンベア１１は、タンク外に露出した種籾収納袋装填領域（ａ）の後段の所定距離の温湯消毒領域（ｄ）を備えており、当該温湯消毒領域（ｄ）の距離をＬｗは、当該温湯タンク内搬送コンベア１１の走行速度をＶｗ（ｍｍ／ｍｉｎ）とすると、実質的に下記式１であり、
Ｌｗ（ｍｍ）＝Ｖｗ（ｍｍ／ｍｉｎ）×１０  ・・・・・・・・（式１）
冷却タンク３０内を走行する冷却タンク内搬送コンベア３１は、タンク外に露出した種籾収納袋排出領域（ｋ）の前段に所定距離の冷却領域（ｉ）を備えており、当該冷却領域（ｉ）の距離をＬｃは、当該冷却タンク内搬送コンベア３１の走行速度をＶｃ（ｍｍ／ｍｉｎ）とすると、実質的に下記式２であり、
Ｌｃ（ｍｍ）＝Ｖｃ（ｍｍ／ｍｉｎ）×５    ・・・・・・・・（式２）
該種籾収納袋受け渡しコンベア１２の走行速度（Ｖｔ）は、温湯タンク内搬送コンベア１１の走行速度（Ｖｗ）に比して大きく構成されている。
【００４２】
温湯タンク１０内の一部詳細断面図を図４に示すように、温湯タンク１０内を走行する温湯タンク内搬送コンベア１１は、当該コンベアの搬送方向に直角な棒状体１４，１４，１４・・・を多数本並列に並べて搬送面１５を形成している。この棒状体の内の２本の棒状体１４，１４を用いて所定高さ（１０ｃｍ）の板状体１６，１６，１６・・・を所定間隔（２５ｃｍ）で複数枚備えることにより、当該温湯タンク内搬送コンベア１１の搬送面１５上に所定幅（２５ｃｍ）の搬送区画２０，２０，２０・・・を複数個形成する。この搬送区画２０の幅は、種籾収納袋１が丁度収納される幅にするのが好ましい。また、コンベアの横幅は種籾収納袋１が複数袋（実施例では３袋）並べて収納される幅にするのが好ましい。この板状体１６，１６，１６・・・は、種籾収納袋１，１，１の滑り止めの効果もある。図５においても示しているが、温湯タンク内搬送コンベア１１の搬送面１５の下方にはバブル噴出（図示なし）のための高圧空気噴出し管２５，２５，２５・・・が、前記板状体１６，１６，１６・・・の間隔と略同一の間隔で配置されている。これについては図５により後述する。
【００４３】
図示はしないが、同様に、冷却タンク３０内を走行する冷却タンク内搬送コンベア３１は、当該コンベアの搬送方向に直角な棒状体を多数本並列に並べて搬送面を形成している。この棒状体の内の２本の棒状体を用いて所定高さ（５ｃｍ）の板状体を所定間隔（２５ｃｍ）で複数枚備えることにより、当該冷却タンク内搬送コンベア３１の搬送面上に所定幅（２５ｃｍ）の搬送区画を複数個形成する。この搬送区画の幅は、種籾収納袋が丁度収納される幅にするのが好ましい。また、コンベアの横幅は種籾収納袋が複数袋（実施例では３袋）並べて収納される幅にするのが好ましい。
【００４４】
さらに、同様に、温湯タンク内搬送コンベア１１の後段に備えた前記種籾収納袋受け渡しコンベア１２は、当該コンベアの搬送方向に直角な棒状体を多数本並列に並べて搬送面を形成している。この棒状体の内の２本の棒状体を用いて所定高さ（１０ｃｍ）の板状体を所定間隔（２５ｃｍ）で複数枚備えることにより、当該種籾収納袋受け渡しコンベア１２の搬送面上に所定幅（２５ｃｍ）の搬送区画を複数個形成する。この搬送区画の幅は、温湯タンク内搬送コンベア１１から受け渡される種籾収納袋が丁度収納される幅にするのが好ましい。また、同様に、コンベアの横幅は種籾収納袋が複数袋（実施例では３袋）並べて収納される幅にするのが好ましい。
【００４５】
図３を用いて、温湯及び冷水の供給手段を説明する。まず、温湯タンク１０内には６０℃近傍の温湯が供給され、温湯の６０℃の温度制御は、温度検知手段（図示なし）で実温度を検知しながら、蒸気ボイラ４０から供給される１００℃程度の蒸気により達成される。蒸気ボイラ４０からの１００℃の蒸気は供給配管４１，４２から供給され、排気部４５，４６から排気される。温湯タンク１０内の温湯を加熱制御するために、蒸気管路内に熱交換配管４３，４４が配置されている。これにより、蒸気ボイラ４０からの一対の熱交換手段４１−４３−４５，４２−４４−４６が構成される。この一対の熱交換配管４３，４４は、図示するように、温湯タンク１０内の温湯消毒領域（ｄ）全面に設けられる。
【００４６】
温湯タンク１０内の温湯消毒領域（ｄ）を搬送される種籾収納袋１，１，１・・・に対して下からジェットバブルを吹き付けるために、温湯タンク内搬送コンベア１１の搬送面１５の下方に、多数の細孔２９，２９，２９・・・を形成した噴気管２５，２５，２５・・・を配設している。噴気管２５，２５，２５・・・への空気流は、ブロア２６から配管２７を解して行われる。
【００４７】
温湯タンク１０内の温湯の温度制御は、蒸気ボイラ４０の運転制御により行われるが、温湯タンク１０内の温湯温度は、温湯タンク内搬送コンベア１１が温湯タンク１０内を搬送運動することにより撹拌されることにより均一化される。特に、搬送面１５から伸び出した板状体１６，１６，１６・・・が撹拌翼の作用をすることにより、効率よく短時間に温度が均一化される。さらには、より高速搬送を達成している種籾収納袋受け渡しコンベア１２の搬送面から伸び出した板状体は、高速で温湯タンク１０内の温湯を撹拌する。また、その搬送方向から種籾収納袋受け渡しコンベア１２の下面の板状体は、温湯タンク１０の中心側に向かって走行することになり、より温度の均一化に効果的である。
【００４８】
冷却タンク３０内の冷水は、クーラ３５により冷却された冷水が冷水供給管３６を介して冷却タンク３０内に供給され、戻り配管３７を介してクーラ３５に戻される。クーラ３５内には、冷水の温度を検知する温度検知手段（図示せず）が設けられており、この温度検知手段で検知された冷水の温度によりクーラ３５の運転が制御される。
【００４９】
冷却タンク３０内の種籾冷却領域（ｉ）を搬送される種籾収納袋１，１，１・・・に対して下からジェットバブルを吹き付けるために、冷却タンク内搬送コンベア３１の搬送面の下方に、多数の細孔２９，２９，２９・・・を形成した噴気管２５，２５，２５・・・を配設している。これは、温湯タンク１０内の配置図の図５と同じである。噴気管２５，２５，２５・・・への空気流は、ブロア２６から配管２８を解して行われる。
【００５０】
冷却タンク３０内の冷水は、ク−ラ３５の運転制御により行われるが、冷却タンク内搬送コンベア３１が冷却タンク３０内を搬送運動することにより撹拌されることにより均一化される。搬送面から伸び出した板状体が撹拌翼の作用にも寄与している。
【００５１】
以下、本発明の実施例の種籾温湯消毒装置１００による種籾の温湯消毒冷却処理の手順に沿って、本装置の機能を詳細に説明する。
【００５２】
種籾は、縦横５００ｍｍ×４００ｍｍのネット状の籾収納袋４０に、事前に５Ｋｇ或いは４Ｋｇ毎に収納され、紐状物により口を閉められている。このように種籾が袋詰めされたネット状の種籾収納袋１は、図２或いは図６の右手端において、一袋ずつ温湯タンク内搬送コンベア１１の種籾収納袋装填領域（ａ）に置かれる。温湯タンク内搬送コンベア１１の搬送面１５には、それから立設された板状体１６，１６により複数の搬送区画２０，２０，２０・・・に区画されており、その一つの搬送区画２０内に３袋の種籾収納袋１，１，１を置く。種籾収納袋装填領域（ａ）では３区画分の搬送区画２０，２０，２０が水平面を形成する程度の大きさで十分である。温湯タンク内搬送コンベア１１の搬送速度は１区画分が１分間で進む程度のスピードで設定すると良い。勿論、それより早くすれば装置としては長くなるが処理量はアップする。因みに、１区画分が１分間で進むスピードで処理をすると、処理量は９００ｋｇ／ｈである。勿論、本装置は全ての搬送区画２０，２０，２０・・・の全てに３袋ずつの種籾収納袋１，１，１を装填する必要はない。一つの搬送区画２０を作業の合間に飛ばしたとしても、或いは一つの搬送区画２０に二つ或いは一つの種籾収納袋を装填した状態でも良い。その場合においても、後段において何らの問題となることもない。
【００５３】
種籾収納袋装填領域（ａ）で次々と搬送区画２０内に装填された種籾収納袋１，１，１・・・は、続いて、下り坂領域（ｂ）を経て、温湯潜り込み領域（ｃ）において種籾収納袋１の下の方から温湯内に漬かりだす（温湯潜り込み領域（ｃ））。種籾収納袋１が完全に温湯内に漬かってから、温湯タンク内搬送コンベア１１上の種籾収納袋１は温湯内を水平に搬送され、その温湯消毒領域（ｄ）内で搬送面１５の下方からのジェットバブルにより種籾収納袋１の種籾が均一に温湯消毒される。
【００５４】
温湯タンク内搬送コンベア１１は、温湯消毒領域（ｄ）を越えると温水面に向かって上り勾配となり、種籾収納袋受け渡し領域（ｅ）を形成している。種籾収納袋１は、この種籾収納袋受け渡し領域（ｅ）を越えて、温湯タンク内搬送コンベア１１の端部に達すると、重力により、後段に設けられた種籾収納袋受け渡しコンベア１２の種籾収納袋受け取り領域（ｆ）により受け取られる。温湯タンク内搬送コンベア１１の種籾収納袋受け渡し領域（ｅ）からは、一つの搬送区画２０内に装填されている３袋の種籾収納袋１，１，１が一度に落ちてくることになるが、温湯タンク内搬送コンベア１１と種籾収納袋受け渡しコンベア１２とは回転を適当に同期させることにより、種籾収納袋受け渡しコンベア１２の一つの搬送区画内で受け渡しを達成させることができる。この種籾収納袋受け渡しコンベア１２の搬送速度は、温湯タンク内搬送コンベア１１の搬送速度よりも速いので、種籾収納袋受け渡しコンベア１２の搬送区画には飛び飛びに装填されることとなる。
【００５５】
種籾収納袋受け渡しコンベア１２は、種籾収納袋１を受け取る種籾収納袋受け取り領域（ｆ）に続いて上り坂領域（ｇ）を設けており、さらに、温湯タンク１０の終端部（図２中左側）においてタンク１０外に露出した種籾収納袋受け渡し領域（ｈ）を備えている。種籾収納袋受け渡しコンベア１２上の種籾収納袋１は、温湯消毒が終了すると冷却タンク３０内の冷水に落とされる。
【００５６】
次に、冷却タンク３０内を走行する冷却タンク内搬送コンベア３１は、種籾収納袋受け渡しコンベア１２の種籾収納袋受け渡し領域（ｈ）からの種籾収納袋１，１，１を受け取り種籾を冷却する冷却領域（ｉ）に続いて上り坂領域（ｊ）を設けている。この冷却領域（ｉ）において、種籾収納袋１は完全に冷水内に漬かり、冷却タンク内搬送コンベア３１上の種籾収納袋１は冷水内を水平に搬送され、その冷却領域（ｉ）内で搬送面の下方からのジェットバブルにより種籾収納袋１の種籾が均一に冷却される。この構成は図５に示す温湯タンク１０内の構成と実質的に同一である。
【００５７】
さらに、冷却タンク３０の終端部（図１中左側端部）において、タンク３０外に露出した種籾収納袋排出領域（ｋ）を備えている。冷却タンク内搬送コンベア３１の種籾収納袋排出領域（ｋ）の後段には、消毒冷却後の種籾収納袋１，１，１・・・を収納する収納容器５０を備えている。収納容器５０は、図においては、下部にスノコ５１を形成したシンク状の容器５２を示したが、これに限る必要ななく、大きな容器を用意すれば、温湯消毒冷却が終了後の種籾の後処理については、作業の合間を利用して効率的な作業が実現できる。
【００５８】
次に、本発明の種籾温湯消毒冷却装置１００の第２の実施例を図７に沿って説明する。なお、第２の実施例において、第１の実施例と同様の機能を有した要素については、その添付数字として同じ添付数字を用いている。
【００５９】
本発明の種籾温湯消毒冷却装置１００の第２の実施例は、その装置全体の斜視図を図７に示すように、所定長の温湯タンク１０と、該温湯タンク１０よりも短い長さの冷却タンク３０とを直線状に並べて配置した種籾温湯消毒冷却装置である。各タンクの長さは、種籾の温湯消毒時間（約６０℃１０分間）と、冷水による冷却時間（約１３℃５分間）が達成できる距離により決定される。第２の実施例の種籾温湯消毒冷却装置１００では、常に１０列の種籾収納袋１，１，１・・・が温湯内に没するように構成し、各種籾収納袋１，１，１・・・の列は１０分かけて、温湯内を潜って移送されることになる。また、第２の実施例の種籾温湯消毒冷却装置１００では、常に５列の種籾収納袋１，１，１・・・が冷水内に没するように構成し、各種籾収納袋１，１，１・・・の列は５分かけて、冷水内を潜って移送されることになる。
【００６０】
本発明の種籾温湯消毒冷却装置１００での種籾の消毒は、ネット状の種籾収納袋に種籾を所定重量（５ｋｇ）収納して口を閉じた種籾収納袋１，１，１・・・を、温湯タンク１０及び冷却タンク３０内の温水及び冷水を所定時間（実施例では１０分間及び５分間）潜らせて搬送することにより達成される。このために、温湯タンク１０及び冷却タンク３０の夫々は、温湯中或いは冷水中を走行する搬送コンベア１１，３１を夫々備えている。温湯タンク１０内に設けられたコンベアは温湯タンク内搬送コンベア１１であり、冷却タンク３０内に設けられたコンベアは冷却タンク内搬送コンベア３１である。
【００６１】
図７に示すように、温湯タンク内搬送コンベア１１に対する種籾収納袋１，１，１・・・の投入は、種籾収納袋投入コンベア７１によって達成される。この種籾収納袋投入コンベア７１は、種籾収納袋投入側で温湯タンクの外側に設けられ、比較的に低い位置に配置した種籾収納袋供給領域（ｍ）と、前記温湯タンクを乗り越えて該温湯タンク内の前記温湯タンク内搬送コンベアに種籾収納袋を投入するために、比較的高い位置に配置された種籾収納袋投入領域（ｎ）を備えている。これにより、種籾収納袋投入コンベア７１に対する種籾収納袋１，１，１・・・の供給高さを腰の高さよりも低い位置にすることが可能であり、楽な姿勢での供給作業が実現できる。
【００６２】
図７に示す第２の実施例は、温湯タンク１０の供給側端部（図７の右端部）において、種籾収納袋投入コンベア７１を設けている以外は第１の実施例の種籾温湯消毒冷却装置の構成と実質的に同一構成であるので、同一構成部分の重複した説明は避ける。
【００６３】
次に、本発明の種籾温湯消毒冷却装置１００の第３の実施例を図８に沿って説明する。なお、第３の実施例においても、第１の実施例或いは第２の実施例と同様の機能を有した要素については、その添付数字として同じ添付数字を用いている。
【００６４】
第１及び第２の実施例として説明した種籾温湯消毒冷却装置１００は、温湯タンク内に温湯タンク内搬送コンベアとは別の種籾収納袋投入コンベアを備えたものであるが、第３の実施例においては、この種籾収納袋投入コンベアを温湯タンク内搬送コンベアと一体的なコンベア構成としたものである。図８では全体の温湯タンク内搬送コンベアを１１として表示している。これにより、本発明の第３の実施例の種籾温湯消毒冷却装置１００の温湯タンク１０内を走行する温湯タンク内搬送コンベア１１は、温湯内を走行するように配置した温湯消毒領域（ｏ）と、種籾収納袋１，１，１・・・を後述する冷却タンク内搬送コンベア３１へ受け渡すために温湯タンク１０外に露出した種籾収納袋受け渡し領域（ｐ）を備える構成としている。これにより、第１及び第２の実施例に比較しても、温湯タンク１０の走行方向の寸法を小さくすることが可能である。
【００６５】
次に、冷却タンク３０内を走行する冷却タンク内搬送コンベア３１は、温湯タンク内搬送コンベア１１からの種籾収納袋１，１，１・・・を受け取り、種籾を冷却する冷却領域（ｑ）を設けており、さらに、冷却タンク３０の終端部（図中左側端部）において該タンク３０外に露出した種籾収納袋排出領域（ｒ）を備えている。冷却タンク内搬送コンベア３１の種籾収納袋排出領域（ｒ）の後段には、消毒冷却後の種籾収納袋１，１，１・・・を収納する収納容器５０を備えている。
【００６６】
温湯タンク１０内を走行する温湯タンク内搬送コンベア１１の温湯消毒領域（ｏ）の距離Ｌｗは、温湯タンク内搬送コンベア１１の走行速度をＶｗ（ｍｍ／ｍｉｎ）とすると、実質的に下記式３（第１実施例の式１と同一の式）であり、そして、温湯内に沈む種籾収納袋１，１，１・・・の列数は１０列である。従って、１列の種籾収納袋１が１分かけて１列分の距離を移送されることになる。
Ｌｗ（ｍｍ）＝Ｖｗ（ｍｍ／ｍｉｎ）×１０  ・・・・・・・・（式３）
【００６７】
冷却タンク３０内を走行する冷却タンク内搬送コンベア３１の冷却領域（ｑ）の距離をＬｃは、当該冷却タンク内搬送コンベア３１の走行速度をＶｃ（ｍｍ／ｍｉｎ）とすると、実質的に下記式４（第１実施例の式２と同一の式）である。そして、冷水内に沈む種籾収納袋１，１，１・・・の列数は５列である。従って、１列の種籾収納袋１が１分かけて１列分の距離を移送されることになる。
Ｌｃ（ｍｍ）＝Ｖｃ（ｍｍ／ｍｉｎ）×５    ・・・・・・・・（式４）
【００６８】
以上、複数の実施例により本発明の種籾温湯消毒冷却装置を説明したが、これ以外の実施態様であっても、当業者が適宜実施可能な本発明の発明思想の範囲内のものであれば、当然に本発明の範疇に入るものである。
【符号の説明】
【００６９】
１００・・・種籾温湯消毒冷却装置、
１・・・種籾収納袋、１０・・・温湯タンク、１１・・・温湯タンク内搬送コンベア、１２・・・種籾収納袋受け渡しコンベア、１５・・・搬送面、２０・・・搬送区画
３０・・・冷却タンク、３１・・・冷却タンク内搬送コンベア
収納容器５０
（ａ）・・・種籾収納袋装填領域、（ｂ）・・・下り坂領域、（ｃ）・・・温湯潜り込み領域、（ｄ）・・・温湯消毒領域、（ｅ）・・・種籾収納袋受け渡し領域、（ｆ）・・・種籾収納袋受け取り領域、（ｇ）・・・上り坂領域、（ｈ）・・・種籾収納袋受け渡し領域、（ｉ）・・・種籾冷却領域、（ｊ）・・・上り坂領域、（ｋ）・・・種籾収納袋排出領域、
【図１】
2010166898.tif 000003
【図２】
2010166898.tif 000004
【図３】
2010166898.tif 000005
【図４】
2010166898.tif 000006
【図５】
2010166898.tif 000007
【図６】
2010166898.tif 000008
【図７】
2010166898.tif 000009
【図８】
2010166898.tif 000010